(57)【特許請求の範囲】
【請求項１】
遊技機全体を制御するメイン制御部と、
メイン制御部を含む各電装装置に電力を供給する電力供給部と、
該電力供給部を監視し、停電を検出すると停電信号をメイン制御部に出力する停電検出部とを備え、停電によりメイン制御部が所定の停電処理を行うように構成された遊技機において、
前記停電検出部は、（１）停電信号が出力していない状態から出力している状態となる停電時においては、停電信号が出力している状態となってから所定時間が経過したときにメイン制御部の動作を停止させるためのコントロール信号を出力し、（２）復電時においては、停電信号が出力している状態から出力していない状態となると、停電信号が出力していない状態となってから所定時間が経過したときに前記コントロール信号の出力を停止してメイン制御部の処理を開始可能とし、
前記メイン制御部は、
遊技制御プログラムが格納されたＲＯＭと、
ＲＯＭに格納された遊技制御プログラムを実行するＣＰＵと、
ＣＰＵが遊技制御プログラムを実行することにより作成されるデータを記憶するＲＡＭと、を有しており、
前記遊技制御プログラムには、
停電検出部から停電信号が出力されたときに、ＲＡＭの内容を保存するための停電処理を実行するためのプログラムと、
電源復旧時又は電源投入時に、停電処理によりＲＡＭに保存した内容に基づき停電前の遊技を再開する停電復旧処理を実行するためのプログラムと、が含まれており、
前記電力供給部は、通電中に電力を備蓄する電力備蓄部を有しており、
（Ａ）停電時においては、停電検出部からメイン制御部に停電信号が出力され、停電信号を受信したメイン制御部は、停電信号が出力されてから前記コントロール信号が出力されるまでの間に、電力備蓄部から供給される電力により所定の停電処理を行うように構成されており、
（Ｂ）電源投入時又は電源復旧時においては、前記コントロール信号の出力が停止されるまでの間に電力備蓄部は停電処理を行うために必要とされる量の電力を備蓄し、前記コントロール信号の出力が停止されるとメイン制御部は前記停電復旧処理を開始するように構成されている遊技機。
【発明の詳細な説明】
【０００１】
【発明の属する技術分野】
本発明は、停電を検知すると停電信号を出力する停電検出部を有し、停電検出部から出力された停電信号に基づいて制御部が所定の停電処理を行うように構成された遊技機に関する。
【０００２】
【従来の技術】
近年、いわゆるパチンコ機等の遊技機においては、遊技中に停電が生じた場合に記憶装置に記憶した情報を保護し、停電復帰後に保護した情報を利用して停電開始前の状態から遊技を再開したいという要求がある。
このため、停電を検出すると停電信号を制御部に出力する停電検出部を設け、この停電検出部から出力された停電信号に基づいて制御部が所定の停電処理〔記憶装置に記憶した情報を保護（バックアップ等）〕行うようにした遊技機が考えられている。
【０００３】
【発明が解決しようとする課題、課題解決手段及び効果】
【０００７】
本発明の遊技機は、通電中に貯えた備蓄電力により停電処理を行うように構成された遊技機において、正しい状態で制御部に通電を開始することにより制御部で停電処理が行われない事態を防止する。
すなわち、通電中に貯えた備蓄電力により停電処理を行う遊技機においては、通電中に蓄える備蓄電力が不充分であるときに停電が発生すると、制御部が停電処理を完了する前に制御部に供給される電圧が正常動作可能電圧外となり、制御部において正常な停電処理を行うことができない事態を招く。
そこで、本発明の他の態様に係る遊技機では、遊技機全体の制御を統括的に行うメイン制御部と、メイン制御部を含む各電装装置に電力を供給する電力供給部と、該電力供給部を監視し、停電を検出すると停電信号をメイン制御部に出力する停電検出部とを備え、停電によりメイン制御部が所定の停電処理を行うように構成されている。停電検出部は、（１）停電信号が出力していない状態から出力している状態となる停電時においては、停電信号が出力している状態となってから所定時間が経過したときにメイン制御部の動作を停止させるためのコントロール信号を出力し、（２）復電時においては、停電信号が出力している状態から出力していない状態となると、停電信号が出力していない状態となってから所定時間が経過したときに前記コントロール信号の出力を停止してメイン制御部の処理を開始可能とする。メイン制御部は、遊技制御プログラムが格納されたＲＯＭと、ＲＯＭに格納された遊技制御プログラムを実行するＣＰＵと、ＣＰＵが遊技制御プログラムを実行することにより作成されるデータを記憶するＲＡＭと、を有している。遊技制御プログラムには、停電検出部から停電信号が出力されたときに、ＲＡＭの内容を保存するための停電処理を実行するためのプログラムと、電源復旧時又は電源投入時に、停電処理によりＲＡＭに保存した内容に基づき停電前の遊技を再開する停電復旧処理を実行するためのプログラムと、が含まれている。電力供給部は、通電中に電力を備蓄する電力備蓄部を有している。停電時においては、停電検出部からメイン制御部に停電信号が出力され、停電信号を受信したメイン制御部は、停電信号が出力されてから前記コントロール信号が出力されるまでの間に、電力備蓄部から供給される電力により所定の停電処理を行うように構成されている。電源投入時又は電源復旧時においては、前記コントロール信号の出力が停止されるまでの間に電力備蓄部は停電処理を行うために必要とされる量の電力を備蓄し、前記コントロール信号の出力が停止されるとメイン制御部は前記停電復旧処理を開始するように構成されている。
上記遊技機では、電源投入又は電源復旧する場合において、メイン制御部による停電復旧処理の開始後には、電力備蓄部に所定量の電力が貯えられているため、メイン制御部において確実に停電処理を行うことができる。
【０００９】
【発明の実施の形態】
（実施の形態Ｉ）
本願に係る第１種パチンコ機の一実施の形態を図１乃至図５を用いて説明する。ここで、図１は第１種パチンコ機の外観を示す正面図であり、図２は図１に示すパチンコ機の制御部の構成を示すブロック図であり、図３は図２に示す電源基板の構成を説明するためのブロック図であり、図４は停電検出部の具体的な回路構成を示す図であり、図５は入力波形に基づいて停電信号等を出力するタイムチャートである。
図１に示すようにパチンコ機１０の遊技盤面１２には、図柄表示装置１４、第１種始動口３０、大入賞口３４等が適宜配置されている。
第１種始動口３０は始動口センサ５６（図示しない；ただし、図２のブロック図に表示）を有し、パチンコ球が入賞すると通常の入賞口と同様に、遊技盤の裏側に設けられた賞球装置６０（図示しない；ただし、図２のブロック図に表示）より賞球(賞品球)を払い出す。また、大入賞口３４は開閉蓋３６を有し、その開平蓋３６はソレノイド５０（図示しない；ただし、図２のブロック図に表示）により開閉駆動されるようになっている。開閉蓋３６が開放される期間は、例えば大入賞口３４にパチンコ球が所定個数（一般的には１０個）入賞するか、開放してから３０秒間を経過するまでのいずれか早いほうで終了する。
【００１０】
遊技盤面１２の略中央には、図１に示すように図柄表示装置１４が組み付けられている。この図柄表示装置１４は、図柄表示器２２と、特別図柄の変動保留回数を表示する保留球ランプ２８等が設けられている。
図柄表示器２２は液晶表示器で構成され、その画面上に３つの特別図柄が所定条件下で変動表示される。この図柄表示器２２に変動表示される特別図柄は、変動停止時の図柄の組合せにより大当り遊技状態（大入賞口３４が開放される状態）に移行するか否かを遊技者に認識させる役割を果たす。ここで、特別図柄として用いる図柄には、文字(英数字や漢字等)、記号、図形、絵柄等があるが、本実施の形態では数字（０〜９）を用いている。
なお、本実施の形態における図柄表示器２２には液晶表示器を用いたが、これ以外にもＣＲＴ表示器、ＬＥＤ表示器、プラズマ表示器等の電気的図柄表示器等も使用することができる。
【００１１】
なお、遊技機１０には、図１に示すように、上述した遊技盤面１２以外にも、賞球や貸球を含むパチンコ球を一時的に貯留する下血４０、タバコの吸い殻を入れる灰皿４２、賞球の受皿である上皿４６、上皿４６の内部に設けられて遊技状態に応じて効果音を発生するスピーカ５２等が設けられている。また、パチンコ機１０正面の適宜の位置には、パチンコ機１０の遊技状態に応じて発光するランプ類１６等を備える。なお、これら装置の構造等については、公知のパチンコ機に設けられたものと同一であるため、その詳細な説明は省略する。
【００１２】
次に、パチンコ機１０によるパチンコ遊技を実現するための電装系の構成について、図２を参照しながら説明する。
図２に示すように、パチンコ機１０の電装系は、パチンコ機１０全体を制御するメイン制御部１００と、メイン制御部１００等の各種装置に電源を供給する電源基板１２０とを中心として構成される。
メイン制御部１００は、ＣＰＵ１０２と、ＣＰＵ１０２とバス１１４を介して接続されるＲＯＭ１０４、ＲＡＭ１０６、入力処理回路１０８、出力処理回路１１０、通信制御回路１１２等を有する。
ＣＰＵ１０２は、ＲＯＭ１０４に格納されている遊技制御プログラムを実行してパチンコ機１０を制御する。この遊技制御プログラムには、停電時にＲＡＭ１０６の内容を保存する処理や、停電復帰後にＲＡＭ１０６に保存した内容に基づき停電前の遊技を再開する処理等を実現するためのプログラムが含まれる。ＲＡＭ１０６は、通電中に貯えた備蓄電力によりバックアップ可能なＳＲＡＭであり、このＲＡＭ１０６には各種データ（例えば、各種乱数、ラウンド数、保留球数、確率変動データ等）や入出力信号が格納される。
入力処理回路１０８は、ゲートセンサ５４、始動口センサ５６等のセンサから出力された信号や、後述する停電検出部１３０から出力された停電信号を受信し、メイン制御部１００内で処理可能なデータ形式に変換する機能を有する。出力処理回路１１０は、ＣＰＵ１０２からバス１１４を介して送られてきた駆動データを受けて、ソレノイド５０等のパチンコ機１０に配設された電装装置を駆動する。通信制御回路１１２は、表示制御部２００や賞球制御部３００等に所要の信号を送信するための回路である。また、リセット回路１１６は、図示省略したクロック回路で規定されるＣＰＵ１０２の処理周期毎に、ＣＰＵ１０２の動作を処理先頭へ戻す機能を有すると共に、メイン制御部１００に供給される電源の電圧がＣＰＵ１０２の動作可能電圧未満となった場合に、ＣＰＵ１０２の誤動作を防止するためＣＰＵ１０２の動作を停止する機能をも有する。
なお、表示制御部２００や賞球制御部３００は、メイン制御部１００と同様、ＣＰＵを中心にコンピュータ制御が可能に構成されている。
【００１３】
次に、電源基板１２０の構成について、図２乃至図４を用いて説明する。
電源基板１２０は、図２に示すように、ホールの交流電源ＡＣを監視して、停電時には停電信号を出力する停電検出部１３０と、ホールの交流電源ＡＣに接続されてパチンコ機１０に組付けられた各電装装置に所定の電位の電力を供給する電力供給部１４０とで構成される。
まず、電力供給部１４０について図３に基づいて説明する。電力供給部１４０は、交流電源ＡＣの波形を整流する整流回路と、整流回路により整流された脈流波形を平滑化する平滑回路と、平滑回路により平滑化された波形を定電圧化する定電圧回路とで構成される。
具体的には、交流電源ＡＣからの入力電流は、図３に示すように、２つの整流回路１４２ａ、１４２ｂに入力される。この整流回路１４２ａ、１４２ｂは、２つのブリッジダイオードで構成され、かかる整流回路１４２ａ，１４２ｂによって、先ず、直流（脈流）の＋２４Ｖの電力が得られる。
一方の整流回路１４２ｂの出力側はランプ類１６と接続され、得られた脈流２４Ｖの電力をそのままランプ類１６へ供給するように構成されている。また、図３に示すように、ランプ類１６に供給される脈流２４Ｖの信号は途中で分岐されダイオードＤ４及びコンデンサＣ４によって平滑化され、直流の＋３４Ｖの信号に変換される。この直流の＋３４Ｖの信号は、ソレノイド５０等に供給される。
【００１４】
もう一方の整流回路１４２ａで得られた２４Ｖの信号は、３つの並列に構成された定電圧回路ＩＣ１、ＩＣ２、ＩＣ３に送られる。すなわち、整流回路１４２ａで得られた脈流２４Ｖの信号は、図３に示すように、ダイオードＤ１およびコンデンサＣ１によって平滑化されるとともに電圧安定化回路としてのスイッチングレギュレータＩＣ１によって安定化されて＋５Ｖの信号に変換される。この＋５Ｖの信号はメイン制御部１００や、その他の制御部（表示制御部２００、賞球制御部３００）に供給される。また、メイン制御部１００（ＣＰＵ１０２）等の制御装置に供給される＋５Ｖの信号は、並列に分離されてダイオードＤ５およびコンデンサＣ５を介してバックアップ用出力端子ＶＢＢに供給される。なお、通電中にコンデンサＣ５に備蓄された電力は、停電時等においてＲＡＭに供給され、ＲＡＭに記憶した情報が保存できるように構成されている。
また、整流回路１４２ａで得られた脈流２４Ｖの信号は、ダイオードＤ２およびコンデンサＣ２によって平滑化されるとともにスイッチングレギュレータＩＣ２によって安定化されて＋１２Ｖの信号に変換される。このスイッチングレギュレータＩＣ２によって安定化された＋１２Ｖの信号は、各種スイッチ類に供給される。
さらに、整流回路１４２ａで得られた脈流２４Ｖの信号は、ダイオードＤ３およびコンデンサＣ３によって平滑化される。この平滑化された信号は、スイッチングレギュレータＩＣ３によって安定化されて＋１２Ｖの信号に変換される。スイッチングレギュレータＩＣ３によって安定化された＋１２Ｖの信号は、スピーカ５２等の装置に供給される。また、ダイオードＤ３およびコンデンサＣ３によって平滑化された信号は、分岐されて３端子レギュレータＩＣ４により安定化され、後で詳述する停電検出部１３０に供給される。
なお、上述したスイッチングレギュレータＩＣ１、ＩＣ２、ＩＣ３には、後で詳述するように、停電検出部１３０から電圧コントロール信号が出力されて、ＯＮ−ＯＦＦ制御が行われるようになっている。ここで、上記スイッチレギュレータＩＣ１、ＩＣ２、ＩＣ３は、電圧制御可能な公知の装置を使用すれば良く、その構造等は特に本発明を特徴付けるものではないため、ここではその詳細な説明を省略する。
【００１５】
次に、停電検出部１３０の構成について、図４に基づいて説明する。停電検出部１３０は、交流電源ＡＣの波形を整形（整流及びクリッピング等）を行う整流部１３１と、整流部１３１で整流された波形の電圧を分圧する分圧部１３２と、分圧部１３２で分圧された波形（パルス）を検出して停電信号を出力する検出部１３３と、検出部１３３から出力された停電信号を増幅して出力する出力部１３４とを有する。
【００１６】
具体的には、図４に示すように、整流部１３１は、交流電源ＡＣの波形を半波整流するダイオードＤ１０，Ｄ１２と、過電流が流れるのを防止する抵抗Ｒ１０、一定電圧(例えば１０ボルト)でクリッピングするツェナーダイオードＤ１４を有する。したがって、整流部１３１より出力される波形はパルスに近い波形となる。整流部１３１から出力された波形は、分圧部１３２の抵抗Ｒ２０と抵抗Ｒ２２によって、所要電圧(例えば5ボルト)に分圧される。
【００１７】
検出部１３３は、タイマー回路ＩＣ(具体的には、日本電気株式会社製のタイマー回路μＰＣ６１７／１５５５)を中心に構成される。
具体的には、分圧部１３２から出力された波形は、ダイオードＤ３０、抵抗Ｒ３０、トランジスタＱ３０によってほぼ正確なパルスに整形され、タイマー回路ＩＣのトリガ端子Ｖｉに出力される。
また、タイマー回路ＩＣのリセット端子ＲＳＴには、直流の定電圧源Ｖccが接続され、コントロール電圧端子Ｖcと接地端子ＧＮＤの間にはコンデンサＣ３０が介装されている。このコンデンサＣ３０は、タイマー回路ＩＣの内部しきい値（＝Ｖcc×２／３)を安定化させる。
タイマー回路ＩＣのスレショルド端子Ｖsは、放電端子Ｖｈ、及び、抵抗Ｒ３２とコンデンサＣ３２との間（図中Ａ点）に接続される。タイマー回路ＩＣでは、このスレショルド端子Ｖsの電圧が基準電圧Ｖxに達すると、出力端子Ｖoからパルスが出力される。
ここで、スレショルド端子Ｖsの電位〔抵抗Ｒ３２とコンデンサＣ３２の間（図中Ａ点）の電位〕は、コンデンサＣ３２に蓄電される蓄電電圧にほぼ等しくなる。また、このスレショルド端子Ｖsは、トランジスタＱ３２のコレクタ端子に接続され、トランジスタＱ３２のベース端子にはトリガ端子Ｖｉに入力されるパルスが入力される。したがって、トリガ端子Ｖｉにパルスが入力されるときは、トランジスタＱ３２のベース端子にもパルスが入力され、トランジスタＱ３２が作動する。トランジスタＱ３２が作動すると、コンデンサＣ３２に貯えられた電荷が放電されて、スレッショルド端子Ｖsの電圧が低下する。
したがって、トリガ端子Ｖｉにパルスが入力されていない期間は、トランジスタＱ３２が作動しないため、コンデンサＣ３２の電位（スレッショルド端子Ｖsの電圧）が上昇する。こうして上昇した電位が基準電圧Ｖxに達すると、出力端子Ｖoからパルスが出力されることとなる。なお、トリガ端子Ｖｉにパルスが入力されなくなってから停電信号が出力されるまでの時間は、放電されてからコンデンサＣ３２に電荷が蓄積される時間であり、タイマーＩＣの基準電圧Ｖｘにより決まる。
【００１８】
出力部１３４は、タイマーＩＣから出力されたパルスを、所定時間継続して出力するためのワンショット回路と、ワンショット回路から出力されたパルスにより駆動されるトランジスタＱ４０、Ｑ４２と、トランジスタＱ４２から出力される信号（電圧コントロール信号）の出力タイミングを、トランジスタＱ４０から出力される信号（停電信号）の出力タイミングから所定時間だけ遅延させる遅延回路と、過電流が流れるのを防止する抵抗Ｒ４０を有する。トランジスタＱ４０のコレクタ端子は端子Ｔ２を通じてメイン制御部１００に接続され、トランジスタＱ４２のコレクタ端子は端子Ｔ４を通じて上述したスイッチングレギュレータＩＣ１、ＩＣ２、ＩＣ３に各々接続される。
したがって、トランジスタＱ４０から出力される信号（停電信号）は、ワンショット回路で決定される所定時間だけ継続して出力され、また、トランジスタＱ４２（請求項にいう動作停止部に相当）から出力される信号（電圧コントロール信号）は、遅延回路で決定される時間だけ停電信号から遅れて出力され、その出力される時間は停電信号と同一の時間となる。なお、ワンショット回路で決定される停電信号および電圧コントロール信号の出力時間は、確実に各電装装置（メイン制御部１００等）に供給される制御用電源の電圧が０Ｖとなるような時間に設定されている。なお、Ｖccへは、３端子レギュレータＩＣ４からの電圧をさらに所定の電圧に変換して接続される。
【００１９】
上記のように構成されるパチンコ機１０において、パチンコ機１０への電源が遮断され停電信号が出力されている間に電源復帰された場合の停電検出部１３０と電力供給部１４０の動作について図５を参照して説明する。
図５は上から順に、パチンコ機１０に入力される交流電源ＡＣの波形、停電検出部１３０用の＋１２Ｖ電源（以下、＋１２Ｖ３電源という）の波形、停電検出部１３０のトランジスタＱ４０より出力される停電信号の波形、停電検出部１３０のトランジスタＱ４２より出力される電圧コントロール信号の波形、メイン制御部１００を駆動するための＋５Ｖ電源（以下、＋５Ｖ電源という）の波形、各種スイッチ類を駆動するための＋１２Ｖ電源（以下、＋１２Ｖ１電源という）の波形、ＬＥＤ・スピーカ等を駆動するための＋１２Ｖ電源（以下、＋１２Ｖ２電源という）の波形、ソレノイド５０等を駆動するための＋３４Ｖ電源（以下、＋３４Ｖ電源という）の波形、ランプ類１６等を駆動するための脈流２４Ｖ電源（以下、脈流２４Ｖ電源という）から出力される波形の経時的変化をそれぞれ示している。
【００２０】
パチンコ機１０への交流電源ＡＣからの入力が時刻ｔ５で遮断されると同時に、ランプ類１６用の脈流２４Ｖ電源が０となる。その他の各電源については、通電中にコンデンサＣ１、Ｃ２、Ｃ３、Ｃ４に貯えた電力により、交流電源が遮断された後もその電圧が維持される。そして、最初にソレノイド５０等を駆動する＋３４Ｖ電源の電圧が低下する。これは、＋３４Ｖ電源に接続されたソレノイド５０等は、その駆動負荷が大きいため、コンデンサＣ４に貯えた電力を短時間で消費するためである。
時刻ｔ５で電源が遮断されてから所定時間経過した時刻ｔ６になると、停電検出部１３０から停電信号が出力される。停電信号が出力されるタイミングは、交流電源ＡＣからの入力が遮断された時から交流電源ＡＣの波形が４周期欠けたときに出力されるようになっている。これは、遊技機の設置されるホールでは大型のエアコン設備等の急激的な作動により、交流電源ＡＣが瞬間的に遮断されるいわゆる瞬停が生じ易く、このような瞬停と本当の停電とを区別するためである。
停電信号が出力されてから所定時間経過した時刻ｔ７から、電圧コントロール信号が出力される。停電信号が出力されてから電圧コントロール信号が出力されるまでの時間（ｔ６〜ｔ７）は、停電検出部１３０に設けた遅延回路により決まり、停電信号を受信したメイン制御部１００が、停電処理（ＲＡＭ１０６に記憶された情報を保存する処理等）を確実に行うために必要な時間に設定される。
電圧コントロール信号が出力されると、スイッチングレギュレータＩＣ１、ＩＣ２、ＩＣ３がＯＦＦ状態となるため、コンデンサＣ１，Ｃ２，Ｃ３に電力が貯えられている状態であっても、各電源（＋５Ｖ電源、＋１２Ｖ１電源、＋１２Ｖ２電源）は徐々にその電圧が低下する。この電圧コントロール信号が出力された後の各電装装置（メイン制御部１００、スイッチ類、ＬＥＤ等）に供給される電力は、各スイッチングレギュレータＩＣ１、ＩＣ２、ＩＣ３と各電装装置の間に設けられたコンデンサ等から供給される電力により賄われる。
ここで、図５に示す例では、時刻ｔ９で交流電源ＡＣからの電源入力が再開される。これにより、＋３４Ｖ電源および脈流２４Ｖ電源の電圧はすぐに立上がるが、各電源（＋５Ｖ電源、＋１２Ｖ１電源、＋１２Ｖ２電源）は電圧コントロール信号が所定時間（ｔ７〜ｔ１１）出力されつづけるため立上がることはない。したがって、＋５Ｖ電源が供給されるメイン制御部１００の電圧は確実に低下（０Ｖ）するため、メイン制御部１００のリセット回路が確実に作動しＣＰＵの動作が停止される。
【００２１】
以上詳述したように、本実施の形態に係るパチンコ機１０においては、停電が検知され停電信号が出力されると、電圧コントロール信号が所定時間出力し続けるように構成されている。したがって、停電信号が出力されてから短時間で停電復旧された場合（図５に示す場合）でも、確実に各電源の電圧を０Ｖとすることができる。これにより、メイン制御部１００においては、リセット回路１１６が作動し、ＣＰＵ１０２の動作を停止することができる。
また、電圧コントロール信号によりスイッチングレギュレータをＯＦＦ状態となるように制御しても、電圧コントロール信号は停電信号を出力してから所定時間経過してから出力される。このため、その間はメイン制御部１００に電源が供給され続け、メイン制御部１００において停電処理（ＲＡＭ１０６に記憶されている情報を保存する処理等）を行うための時間を確保することができる。
さらに、本実施の形態に係るパチンコ機においては、停電検出部１３０を電力供給部１４０と同一の電源基板に設けたため、電力供給部１４０からの配線の引き回しによる検出電圧の低下の影響を抑制することができる。
【００２２】
（実施の形態II）
上述した実施の形態Ｉでは、メイン制御部１００を停止する方法として、レギュレータを停電信号出力後に所定の時間ＯＦＦすることによりメイン制御部１００を停止したが、以下に説明する実施の形態IIにおいては停電信号を出力してから所定時間経過後にリセット信号を強制的にメイン制御部１００に送信することによりその動作を停止する。すなわち、実施の形態IIは、請求項３に記載の発明を具現化したものである。
以下、実施の形態IIについて図６及び図７に基づいて説明する。図６は実施の形態IIにおける停電検出部１３０の回路図であり、図７は停電時の停電検出部１３０から出力する各種信号のタイムチャートである。
なお、以下に説明する実施の形態IIに係るパチンコ機においても、停電検出部１３０の構成以外の部分については、上述した実施の形態Ｉと同様の構成であるのでその説明を省略し、以下の説明では相違点を中心に説明する。
【００２３】
図６に示すように、実施の形態IIに係る停電検出部１３０においても、整流部１３１、分圧部１３２、検出部１３３の構成は、実施の形態Iにおける停電検出部１３０と同一構成である。実施の形態IIに係る停電検出部１３０では、検出部１３３から出力されたパルスに基づいて、メイン制御部１００にリセット信号を出力するリセット信号出力回路が付加されている点が実施の形態Iの停電検出部１３０と異なる。
すなわち、出力部１３４には、停電信号を出力するトランジスタＱ４０と、リセット信号を出力するためのトランジスタＱ４４（請求項にいう動作停止部に相当）が設けられる。このトランジスタＱ４４のコレクタ端子は端子Ｔ５を介してメイン制御部１００のリセット端子RSTに接続されている。
したがって、トランジスタＱ４４から出力されるリセット信号は、図７に示すように、停電信号が出力されてから所定時間だけ遅れて出力され、その出力される時間は停電信号と同一の時間だけ出力される。そして、このリセット信号を受けたメイン制御部１００では、メイン制御部１００に供給される電力の電圧が動作可能範囲内であっても、その動作が停止されることとなる。
【００２４】
以上説明したように、上述した実施の形態IIに係るパチンコ機においては、停電信号が出力されてから所定時間が経過したタイミングで、停電検出部１３０よりリセット信号がメイン制御部１００に出力され、メイン制御部１００の動作が強制的に停止される。このため、停電信号が出力されれば確実にメイン制御部１００が停止される。
また、停電信号が出力されてから所定時間経過してからリセット信号が出力されるため、停電信号が出力されてからリセット信号が出力されるまでの間に、メイン制御部１００は、所定の停電処理を行うことができる。
【００２５】
（実施の形態III）
次に本願発明を具現化した第１種パチンコ機について説明する。すなわち、次に説明する実施の形態IIIは、通電中に貯えた備蓄電力により停電処理を行うように構成された遊技機において、制御部への電力供給タイミングを制御することで、備蓄電力不足により制御部で停電処理を行うことができない事態を防止するものである。
以下、実施の形態IIIについて図８及び図９に基づいて説明する。図８は実施の形態IIIにおける停電検出部１３０の回路図であり、図９は電源投入時に停電検出部１３０から出力する各種信号のタイムチャートである。なお、以下に説明する実施の形態IIIに係るパチンコ機においても、停電検出部１３０の構成以外の部分については、上述した実施の形態Ｉと同様の構成であるのでその説明を省略し、以下の説明では相違点を中心に説明する。
【００２６】
図８に示すように、実施の形態IIIに係る停電検出部１３０は、３端子レギュレータＩＣ４（図３参照）から供給された電圧（＋１２Ｖ）を停電検出部１３０に設けられた各回路を動作させるための電圧に変換する電源回路３００を有し、電源回路３００で変圧された電圧はスタート回路３０２を介して比較回路３０４、ラッチ解除信号発生回路３０６、発振回路３０８、分周回路３１０、ラッチ回路３１２、遅延回路３１４に供給される。
スタート回路３０２は、電源投入時又は電源復旧時において、電源回路３００で調整された電圧を各回路に供給するタイミングを制御し、具体的には、まずラッチ回路３１２、遅延回路３１４に供給し、しかる後、発振回路３０８、分周回路３１０、比較回路３０４、ラッチ解除信号発生回路３０６の順に供給するように制御する。
比較回路３０４は、交流電源ＡＣと接続されて交流電源ＡＣの半波を検出する回路であり、交流電源ＡＣの半波を検出している間クロック信号を分周回路３１０に出力する。また、この比較回路３０４は、交流電源ＡＣの半波を検出していない状態から交流電源ＡＣの半波を検出した場合、ラッチ解除信号発生回路３０６に信号を出力する。そして、ラッチ解除信号発生回路３０６は、比較回路３０４から出力された信号が入力すると、所定時間後にラッチ回路３１２のラッチ状態を解除するための信号をラッチ回路３１２に出力する。
また、分周回路３１０は、発振回路３０８で生成される５０ｋＨｚの信号を分周する回路であり、比較回路３０４から出力されるクロック信号が入力される毎にリセットされ、比較回路３０４からクロック信号が入力されない状態（交流電源ＡＣの波形が途絶える）では分周し続け、８１９２分周したときにラッチ回路３１２に信号を出力する。このラッチ回路３１２は、分周回路３１０から出力された信号が入力すると、その信号をラッチ解除信号が入力されるまでラッチ（ＯＮ）する。このため、トランジスタ３１６がＯＮされ、また、遅延回路３１４を介してトランジスタ３１８がＯＮされる。したがって、停電信号が出力されてから所定時間遅れて、電圧コントロール信号が出力されることとなる。
【００２７】
次に、上述した停電検出部１３０の電源投入時（電源復旧時）の動作について図９のタイムチャートを用いて説明する。
電源投入されると、３端子レギュレータを介して電源回路３００及びスタート回路３０２が同時に動作を開始し、スタート回路３０２からラッチ回路３１２及び遅延回路３１４に電圧が供給される。このため、ラッチ回路３１２がＯＮされて、トランジスタ３１６、トランジスタ３１８が動作する。したがって、電源投入と略同時の時刻ｔ０に、停電信号・電圧コントロール信号がＯＮ（出力）される。
次に、スタート回路３０２から発振回路３０８、分周回路３１０、比較回路３０４、ラッチ解除信号発生回路３０６に電圧が供給され、停電検出が可能な状態となる。スタート回路３０２から電圧が供給された比較回路３０４は、交流電源ＡＣの半波を検出すると、クロック信号を分周回路３１０に出力すると共に、交流電源ＡＣの半波を検出後所定時間が経過してからラッチ解除信号発生回路３０６に信号を出力する。比較回路３０４から出力された信号が入力したラッチ解除信号発生回路３０６は、ラッチ回路３１２にラッチ解除信号を出力し、ラッチ回路３１２のＯＮ状態を解除する。このため、電源投入時ｔ０から所定時間が経過した時刻ｔ１に停電信号がＯＦＦされ、停電信号がＯＦＦされてから所定時間経過後の時刻ｔ２に電圧コントロール信号がＯＦＦされる。これにより、メイン制御部への制御電源が供給され、これを監視するリセット回路が動作するので、メイン制御部のリセット解除動作が行われ制御部は制御処理を開始することができる。
【００２８】
上述したように実施の形態IIIに係るパチンコ機においては、電源投入時又は電源復旧時においては、電源投入又は電源復旧から所定時間経過後に電圧コントロール信号がＯＦＦされてメイン制御部１００に電圧が供給される。したがって、メイン制御部１００に電圧が供給されるときまでに、停電処理を行うために必要とされる電力を貯えることが可能となる。なお、メイン制御部１００において停電処理を行うための電力は、メイン制御部１００に電圧を供給する定電圧回路ＩＣ１の入力部に設けられたコンデンサＣ１〔請求項にいう備蓄部に相当（図３参照）〕に貯えられる。
また、実施の形態IIIに係るパチンコ機においては、停電信号がＯＦＦ（停電信号が出力可能な状態）されてから電圧コントロール信号がＯＦＦされるように構成されている。したがって、停電信号が出力されている状態（停電を検知してもメイン制御部１００に伝達できない状態）にあるときは、メイン制御部１００（ＣＰＵ１０２）に電力が供給されない。このため、停電検出部１３０が停電を伝達できる状態となった後でメイン制御部１００に電力が供給されるようになるので、停電が生じた場合には確実に停電検出部１３０から停電信号を出力することができる。
【００２９】
以上、本発明のいくつかの実施の形態について説明したが、本発明は上述した実施の形態に限られることなく、次に示す各形態で実施することが可能である。ただし、下記に示す形態もあくまで例示であって、本発明が上述した実施の形態や、次に記載された実施の形態に限定されると解釈するべきではない。
【００３０】
（１）上述した各実施の形態においては、停電検出部１３０はメイン制御部１００にのみ停電信号を出力し、メイン制御部１００において停電処理を行うような構成となっていたが、必ずしもこのような形態に限定する必要は無い。例えば、停電検出部１３０はメイン制御部１００以外の他の制御部（例えば、賞球装置を制御する賞球制御部等）にも停電信号を出力し、これらの制御部においてもＲＡＭ等の記憶装置のデータを保存するようにしても良い。
上述した２以上の制御部においてデータの保存を行う場合には、（Ｉ）実施の形態Iと同様に、各制御部にリセット回路を設け、各制御部に電源を供給する電力供給部の電圧を動作可能電圧以下にコントロールすることで各制御部を停止する構成や、（II）実施の形態IIと同様、電源基板にリセット信号出力回路を設け、このリセット信号出力回路から各制御部に集中的にリセット信号を出力するような構成を採ることができる。このような構成によれば、各制御部全てが確実に停止されるため、ある制御部は停止され、ある制御部は停止されないという事態を回避することができる。特に、各制御部における負荷が異なる遊技機の場合には、制御用の電力が消費される時間が異なるため、強制的に各制御部を停止する上述した構成は有効である。
なお、上記（Ｉ）の場合には、各制御部に電力を供給する電力供給部を制御部毎に設け、各電力供給部に電圧コントロール信号を出力するようにしても良いが、一つの電力供給部から各制御部に電力を供給するような形態を採ることが好ましい。このような構成によれば、１の電力供給部の電圧をコントロールするだけで、各制御部を確実に停止することができる。また、上記(II)の場合には、各制御部にリセット信号を出力するリセット信号出力回路は、電源基板に設けることが好ましい。電力供給回路や停電検出回路、リセット信号出力回路等を一つの電源基板にまとめることにより、遊技機の製造工程を容易にすることができる。
【００３１】
（２）上述した実施の形態Iにおいては、停電検出部１３０から電圧コントロール信号を電力供給部１４０に出力することにより、メイン制御部１００に供給される電源の電圧を０Ｖとしたが、必ずしもこのような形態に限定する必要は無い。例えば、電力供給部１４０からメイン制御部１００との間の電力供給ラインに、その電源供給ラインを遮断する手段（スイッチング回路等）を設け、メイン制御部１００に供給される電源を遮断するようにしても良い。
また、電力供給部１３０からメイン制御部１００へ供給される電力の電圧は、必ずしも０Ｖに制御する必要は無く、メイン制御部１００が動作不能となる電圧以下に制御できれば良い。
【００３２】
（３）上述した実施の形態II（リセット信号出力回路でメイン制御部１００を停止する構成）においては、電力供給部１４０へ入力される交流電源を監視して停電信号とリセット信号を出力するようにしたが、必ずしもこのような形態に限定される必要は無い。例えば、電力供給部１３０からメイン制御部１００へ出力される直流電源を監視して、停電信号とリセット信号を出力するようにしても良い。
【００３３】
（４）上述した各実施の形態では、本発明を第１種パチンコ機に適用した例であったが、本発明はこの他にも、例えば、スロットマシン、アレンジホール機、雀球遊技機、テレビゲーム機等の各種遊技機にも適用することができる。
【００３４】
以上、本発明のいくつかの実施の形態について詳細に説明したが、これらは例示に過ぎず、本発明は当業者の知識に基づいて種々の変更、改良を施した形態で実施することができる。
【図面の簡単な説明】
【図１】本発明の一実施の形態に係る第１種パチンコ機の外観を示す正面図
【図２】図１に示すパチンコ機の電装系の構造を示すブロック図
【図３】電源基板の構成を説明するためのブロック図
【図４】停電検出部の具体的な回路構成を示す図
【図５】入力波形に基づいて停電信号等を出力するタイムチャート
【図６】他の実施の形態に係る停電検出部の回路構成を示す図
【図７】図６に示す停電検出部より出力される各種信号のタイムチャート
【図８】他の実施の形態に係る停電検出部の回路構成を示すブロック図
【図９】図８に示す停電検出部より出力される各種信号のタイムチャート
【符号の説明】
１０・・パチンコ機
２２・・図柄表示器
３０・・第１種始動口
３６・・大入賞口
１００・・メイン制御部
１３０・・停電検出部
１４０・・電力供給部
【図１】
0004375508.tif 000002
【図２】
0004375508.tif 000003
【図３】
0004375508.tif 000004
【図４】
0004375508.tif 000005
【図５】
0004375508.tif 000006
【図６】
0004375508.tif 000007
【図７】
0004375508.tif 000008
【図８】
0004375508.tif 000009
【図９】
0004375508.tif 000010